(57)【要約】【課題】パチンコ球の総量を調整することを遊技機メーカ側において先付けで配設した球切れセンサを利用して可能とにした遊技機を提供すること。【解決手段】パチンコ球を貯留するとともに同貯留されたパチンコ球をパチンコ球流出口から下方に排出するタンク２３と、パチンコ球流出口に面して配置されパチンコ球を払い出しユニット２７に導くタンクレール２５と、内部機構と電気的に接続されるとともにタンク内の払い出し準備用のパチンコ球の有無を検出する球切れセンサユニット２５とを備え、同払い出しユニット２７を経由して払い出されるパチンコ球に基づいて遊技者が遊技するパチンコ遊技機において、パチンコ球の総量を調整して球詰まりを防止するために球切れセンサユニット２５をタンク２３の壁面の所望の位置に配置するようにした。【選択図】　　　　図１
2004016253.tif 000002
【特許請求の範囲】
【請求項１】
外部から或いは内部を循環して供給されるパチンコ球を貯留するとともに同貯留されたパチンコ球を払い出し機構に導く貯留部と、内部機構と電気的に接続されるとともに同貯留部内の払い出し準備用のパチンコ球の有無を検出する検出装置とを備え、同払い出し機構を経由して払い出されるパチンコ球に基づいて遊技者が所定の遊技を享受できるようにした遊技機において、
前記払い出し準備用のパチンコ球の有無が検出可能な領域にて前記検出装置の取り付け位置を移動可能としたことを特徴とする遊技機。
【発明の詳細な説明】
【０００１】
【発明の属する技術分野】
本発明は、パチンコ遊技機やパチロット等のパチンコ球を使用する遊技機に関し、特にタンクに随時パチンコ球を供給するようにした遊技機に関するものである。
【０００２】
【従来の技術】
例えばパチンコ球を使用する遊技機の一種であるパチンコ遊技機では遊技者の所作によってパチンコ球が払い出し機構から流下するようになっている。遊技者の所作とは具体的には遊技をするためにプリペイドカードによってパチンコ球の払い出しを要求したり、遊技者が実際の遊技において遊技球を入賞させたことによってパチンコ球（賞球）を払い出す場合である。払い出し機構は所定の量のパチンコ球を送り出すという構造上の制限からパチンコ球は直列に配置されそれほど多くのパチンコ球を貯留することはできない。そのため払い出し機構の上流側にはタンクが配設され、タンクレールを経由して払い出し機構における払い出しが途切れることのないように常にタンクからパチンコ球が供給されるようになっている。
例えばパチンコホールでは各島ごとにセットされたパチンコ球供給装置からパチンコ球が供給されるようになっている。タンクは常に途切れることなく払い出し機構にパチンコ球を供給する一方で自身はパチンコ球供給装置から供給されるパチンコ球を溢れさすことのないように制御されていなければならない。そのため一般にタンクにはパチンコ球の有無を検出する検出装置としての球切れセンサが配設され、同球切れセンサの作用によってパチンコ球の有無を判断するようになっている。そして、パチンコ球が無いと判断した場合に初めてパチンコ球供給装置からタンクにパチンコ球が供給されるようになっている。
【０００３】
【発明が解決しようとする課題】
ところで、パチンコ球は遊技において繰り返し使用されることで徐々に汚れてしまうため回収されたパチンコ球はクリーニング処理が施される。汚れたままではタンクやタンクレールにおけるパチンコ球のスムーズな流下が妨げられて球詰まりが生じ遊技に支障を来してしまうからである。しかしパチンコホールでのクリーニング処理の対応は区々であり、更にパチンコホールの清潔さや立地条件等の環境状況によってパチンコ球の汚れ状況も異なる。
更に、パチンコ球があまりに沢山タンクに供給されると下流のタンクレールに球圧がかかって球詰まりが生じやすくなる傾向にある。パチンコ球の汚れに加えてこのように過剰に球圧がかかりすぎた場合には球詰まりを助長することとなってしまっていた。
【０００４】
このような不具合を解消する手段の一つとしてはパチンコホールにおいてタンク内のパチンコ球の総量を調整して球圧を調整することができればよいわけである。つまり、球切れセンサの位置を調整することによって、例えばパチンコ球の汚れがひどい場合には総量を少なく調整するために球切れセンサの位置をより下流側のかつ低い位置に配置するように調整できればよい。
しかし、従来の遊技機メーカーの球切れセンサは出荷時において既に所定の位置に配設されているため、それは不可能である。
この場合に島メーカーから供給される外付けの球切れセンサを使用してパチンコ球の総量を調整することも想定できる。しかし、このような外付けの球切れセンサでは遊技機内部での電気的な連携、例えばパチンコ球供給装置が詰まってタンクが球切れの状態の際にランプや音声でホール係員に報知させるといった球切れセンサとしての役割以外のパチンコ遊技機の動作におけるスイッチ手段とすることはできない。従って、実際にはパチンコ球の総量を調整するために外付けの球切れセンサを使用することは好ましくはなかった。
本発明は、このような従来の技術に存在する問題点に着目してなされたものである。その目的とするところは、パチンコ球の総量を調整することを遊技機メーカ側において先付けで配設した球切れセンサを利用して可能とにした遊技機を提供することにある。
【０００５】
【課題を解決するための手段】
上記の目的を達成するために、請求項１に記載の発明では、外部から或いは内部を循環して供給されるパチンコ球を貯留するとともに同貯留されたパチンコ球を払い出し機構に導く貯留部と、内部機構と電気的に接続されるとともに同貯留部内の払い出し準備用のパチンコ球の有無を検出する検出装置とを備え、同払い出し機構を経由して払い出されるパチンコ球に基づいて遊技者が所定の遊技を享受できるようにした遊技機において、前記払い出し準備用のパチンコ球の有無が検出可能な領域にて前記検出装置の取り付け位置を移動可能としたことをその要旨とする。
【０００６】
請求項１の発明のような構成では、遊技機の制御装置に接続された検出装置が貯留部内の払い出し準備用のパチンコ球の有無を検出することとなる。そして、パチンコ球の総量を調整する場合には検出装置をこの払い出し準備用のパチンコ球の検出できる領域内にて上下流や上下位置等に移動させて配置することが可能となる。従って、貯留部での球詰まりに有効に対応することができる。
【０００７】
【発明の効果】請求項１に記載の発明では、遊技機の内部機構と電気的に接続されている状態で検出装置を払い出し準備用のパチンコ球の検出できる領域内にて上下流や上下位置等に移動させて配置することが可能であるためパチンコ球の総量を調整することができ、その結果タンクから払い出し機構に至る途中の球詰まりに有効に対応することができる。
【０００８】
【発明の実施の形態】
以下、本発明をパチンコ遊技機に応用した実施の形態について図面に基づいて説明する。まず、図１及び図２に基づいてパチンコ遊技機の概略を説明する。
図１に示すように、パチンコ遊技機の支持枠体としての外枠１は上下左右の各枠板１ａ〜１ｄによって四角形に枠組みされた木製の枠体とされている。
外枠１には遊技台としての遊技機本体４が装着されている。遊技機本体４はパチンコ遊技機の構造的な中核を形成するパネル状の構成部材である。図２に示すように、遊技機本体４を中心としてその他のパネル状の構成部材がその前後方向に積層状に配置されている。
遊技機本体４の上半身に形成された遊技盤取り付けスペース９には遊技盤５が嵌合されている。遊技盤５の裏面には可変表示装置６と制御装置としてのメイン基板１２が配設されている。遊技盤５の前方には扉枠７が配設されている。扉枠７の上方位置にはガラス窓Ｇが嵌合されており、同ガラス窓Ｇの下方位置にはパチンコ球受け皿としての上受け皿８が形成されている。遊技盤５の後方位置には遊技盤５を背面から覆うように機構盤１０が配設されている。機構盤１０の直下には基板取り付けベース１１が配設されている。基板取り付けベース１１内には図示しない発射基板、電源基板、払い出し基板等が格納されている。
遊技盤５の下方位置にはカバープレート１３が配設されている。カバープレート１３は遊技機本体４に対して固着されている。カバープレート１３には前方に突出形成した下受け皿１４が形成されている。下受け皿１４の右側方には操作ハンドル１５が取付けられている。
【０００９】
次に、図１〜図４に基づいて機構盤１０の裏面に配設された貯留部としてのタンク２３、貯留部としてのタンクレール２５及び払い出しユニット２７周辺の構成について説明する。尚、以下の説明において左右とは図４における左右方向をいい、前方とは同図における手前側、後方とは同図における奧側をいう。
図２に示すように、遊技盤５の背面側には機構盤１０が遊技機本体４及び遊技盤５に対して着脱可能に装着されている。図１及び図３に示すように、機構盤１０はＬ字状の機構盤ベース２１を備えている。機構盤ベース２１は上部横架部２１ａと上部横架部２１ａの右端から下方に下降する下垂部２１ｂとから構成されている。上部横架部２１ａ前面にはタンク２３及びタンクレール２５が装着され下垂部２１ｂ前面には払い出し機構としての払い出しユニット２７が装着されている。タンク２３及びタンクレール２５の右方には外部出力基板２８が配設されている。外部出力基板２８はパチンコ遊技機が設置されるホールの島側への出力基板とされる。上部横架部２１ａの下方（下垂部２１ｂの側方）にはカバー２９が突設形成されている。カバー２９は遊技機本体４に対して機構盤１０が閉塞された状態で遊技盤５の背面に露出される図示しない可変表示装置を覆う役割を成す。
【００１０】
まず、タンク２３について詳しく説明する。
図１、図３及び図４に示すように、タンク２３は平面形状長方形の底部３３と同底部３３の周縁から上方に立ち上がる壁部３５とから構成されている。壁部３５は前後に配置された長壁３５ａ，３５ｂと左右に配置された短壁３５ｃ，３５ｄとから構成されており、これら長壁及び短壁３５ａ〜３５ｄによって四方から内部空間が包囲されている。すなわち、上方が大きく開放された方形の容器の形状とされている。
図４及び図５に示すように、底部３３は左側の短壁３５ｄから約３分の１の位置で分割され、底部３３の約３分の２を占める底片３３ａがヒンジ部３６によって回動可能に支持されている。底片３３ａは先端側（つまり右側の短壁３５ｃ寄り）において短壁３５ｃに形成された透孔３７に螺着された保持手段としての支持用ねじ３８の先端上に載置されることによって何段階か（ここでは２段階）の所定の角度で保持されるようになっている。
図３及び図６に示すように、前方側長壁３５ａ及び左右短壁３５ｃ，３５ｄの外表面には上下方向に平行に検出手段の位置調節手段としての３つの係合溝３９が形成されている。前方側長壁３５ａの中央から若干左方に寄った位置には配線迂回手段としてのフック４１が形成されている。
【００１１】
図３及び図４に示すように、底部３３の左方側であってかつ後方位置にはパチンコ球流出口４３が形成されている。パチンコ球流出口４３の上方には同パチンコ球流出口４３の大部分を覆う棚板４５がわずかに右方下がりの傾斜となるように配置されている。同棚板４５の右端から底部３３（のヒンジ部３６）にかけて斜板４４が配置されている。斜板４４は急な右方下がりの傾斜となるように配置されていおり、ホールの島ごとにセットされたパチンコ球供給装置から棚板４５上に供給されるパチンコ球を速やかに底部３３方向に導くことが可能となっている。底部３３は全体としてわずかに右下がりの傾斜に形成されるとともにパチンコ球流出口４３に面した部分については前下がりの傾斜（つまりパチンコ球流出口４３に向かって落下するように）が形成されている。すなわち、図４に示すように棚板４５に落下したパチンコ球は他に干渉するものがなければ同図に示すような軌跡に準じてパチンコ球流出口４３に向かう。この軌跡によれば棚板４５及び斜板４４によってパチンコ球は一旦パチンコ球流出口４３とは逆方向に誘導されるため底部３３に至ったパチンコ球は拡散しやすくなっており、球詰まりが生じにくくなる。
図３及び図４に示すように、タンク２３は機構盤ベース２１の上部横架部２１ａに形成された横長の取り付け凹部４６に嵌合された状態で左右の短壁３５ｃ，３５ｄに形成された取り付け板４７を介して図示しないビスによって着脱可能に固定されている。
【００１２】
タンク２３の下方にはタンクレール２５が配設されている。
タンクレール２５はタンク２３のパチンコ球流出口４３から落下したパチンコ球を二列縦隊に整列させて図１において左方から右方に流下させるようになっている。タンクレール２５の右方であって下垂部２１ｂには払い出しユニット２７が配設されている。図１に示すように、払い出しユニット２７は払い出し装置４８と、パチンコ球を払い出し装置４８に導く第１の流路４９と、パチンコ機の廃棄等によってパチンコ機を島から取り外す際に同第１の流路４９内の球抜きを行うための球抜き機構５０と、球抜きを行う際にパチンコ球が排出される球抜き流路５１と、払い出し装置４８の下流の第２の流路５２と、ベル５３と、ベル５３の下流の第３の流路５４とより構成されている。
本実施の形態では２基の払い出し装置４８はセーフ球の発生に基づいて所定量のパチンコ球（賞球）を払い出す。パチンコ球は第２の流路５２を流下し途中ベル５３に当接する。ベル５３に当接したパチンコ球は第３の流路５４を斜め下方（図１において左斜め下方）に導かれる。第３の流路５４を流下したパチンコ球は基板取り付けベース１１内に至る。機構盤１０の背面を流下してきたパチンコ球はこの基板取り付けベース１１において前方に方向転換させられる。最終的に上受け皿８又は下受け皿１４に導かれる。
【００１３】
タンク２３の前方側の長壁３５ａには検出装置としての球切れセンサユニット５５が配設されている。
図７〜図１０に示すように、球切れセンサユニット５５はＡＢＳ樹脂製のベース５６を備えている。ベース５６は立設された縦壁部５７と、同縦壁部５７の上部寄りにおいて前方に突出形成された棚部５８と、同棚部５８から下垂された固定手段としてのキャッチ片５９から構成されている。キャッチ片５９は棚部５８から片持ち状に延出されており、自身の弾性力によって基部を中心に前後に揺動可能とされている。図９に示すようにキャッチ片５９は若干縦壁部５７方向に向かって傾斜して延出されており、キャッチ片５９先端付近における縦壁部５７との間隔は長壁３５ａの厚みよりも若干短く設定されている。そのため、長壁３５ａに装着する際にキャッチ片５９は外方に拡開されることとなり装着状態においてキャッチ片５９の付勢力によって長壁３５ａはキャッチ片５９と縦壁部５７によって挟持されることとなる（図１０の状態）。キャッチ片５９と縦壁部５７は挟持手段を構成する。キャッチ片５９の先端には前記タンク２３側面に形成された係合溝３９に対応する形状の係合爪６０が形成されており、本実施の形態では係合爪６０は図１及び図１０に示すように最下段の係合溝３９と係合されている。
【００１４】
縦壁部５７の背面下部寄りには左右一対の軸受け６２が形成され、同軸受け６２にはレバー６３下端の回動軸６５が支持されている。レバー６３は先端に屈曲部６６が形成された側面視が数字の７のような形状をしたＡＢＳ樹脂製の長尺体である。屈曲部６６は縦壁部５７の上縁に遊嵌されており、レバー６３の回動軸６５を中心とした前後の移動を許容するとともにレバー６３の縦壁部５７からの脱落を防止している。
棚部５８上には検出部としてのリミットスイッチ６７が配設されている。リミットスイッチ６７にはパチンコ球の検出・非検出状態を認識するための入切スイッチとしてのプッシュボタン６８が設けられている。プッシュボタン６８は内部の（図示しない）スプリングによって外方に向かって付勢されている。
リミットスイッチ６７はプッシュボタン６８が縦壁部５７方向を向くように配置され、レバー６３の屈曲部６６先端が押動面６３ａとなってプッシュボタン６８に対向する位置に配置される。リミットスイッチ用の出力配線７０は図１に示すように一旦左方のフック４１に掛け回されてから右方に配置された外部出力基板２８と接続されている。図１０はプッシュボタン６８が押動されている状態である。
尚、本実施の形態ではリミットスイッチ６７からの出力信号は内部機構としての外部出力基板２８から更に内部機構としてのメイン基板１２に入力されるように構成されており制御条件の一つとなっている。
すなわち、外部出力基板２８には島ごとにセットされたパチンコ球供給装置からの出力配線が接続されており、リミットスイッチ６７からの出力信号は外部出力基板２８を経由して島ごとにセットされたパチンコ球供給装置からのパチンコ球の供給を促す信号となっている。一方、同時にリミットスイッチ６７からの出力信号はメイン基板１２に入力されてパチンコ球供給装置からのパチンコ球の供給が途切れた場合（つまりパチンコ球供給装置付近の球詰まり）にパチンコ遊技機の扉枠７前面に形成された図示しないランプを点滅させてホール係員に報知させるスイッチ手段となっている。
【００１５】
このようなパチンコ遊技機において球切れセンサユニット５５は次のように使用される。図１や図４等の装着位置は一例である。
作業者はパチンコホールのパチンコ球のクリーニング状況やホールの環境（温度や湿度）をチェックし、どのくらいのパチンコ球をタンクに貯留させるか、つまりタンク２３に下方に配置されるタンクレール２５への球圧をどの程度に調節するかを決め、所定のパチンコ球貯留量となるように球切れセンサユニット５５の取り付け位置を決定する。
例えば、パチンコ球が比較的きれいでかつ湿度が低い場合にはタンク２３へのパチンコ球の総量が多くてタンクレール２５への球圧が大きくとも球詰まりは生じにくいということで、パチンコ球が多めにタンク２３に貯留されるように球切れセンサユニット５５を上流位置（例えば本実施の形態では右方の短壁３５ｃ）に配置させたり、最上段の係合溝３９に対してキャッチ片５９の係合爪６０が係合されるように球切れセンサユニット５５を取り付けたりする。
また、逆にパチンコ球が汚れがちで湿度が高い場合には球圧を小さくしないと球詰まりが生じやすいのでタンク２３へのパチンコ球の貯留量を少なくするためになるべく下流側に配置し、また最下段の係合溝３９に対してキャッチ片５９の係合爪６０が係合されるように球切れセンサユニット５５を取り付けるようにする。
また、底片３３ａの角度もタンクレール２５への球圧を考慮して調整する。すなわち、球圧を小さくする場合には傾斜を小さくする。尚、底片３３ａの角度を大きくするということはパチンコ球の流下をスムーズにでき底部３３で停留しにくくなるという効果がある。
【００１６】
このように構成することで本実施の形態では次のような効果を奏する。
（１）タンク２３の３つの前方側長壁３５ａ又は左右短壁３５ｃ，３５ｄの上部位置において球切れセンサユニット５５の配置位置を任意に変更することができるためパチンコ球の汚れやパチンコホールの環境等に応じて異なるタンクレール２５の球詰まりのし易さに応じてパチンコ球の球圧を調整することが可能となる。
（２）球切れセンサユニット５５はレバー６３と縦壁部５７によって前方側長壁３５ａ又は左右短壁３５ｃ，３５ｄに対してレバー６３を拡開させるだけでワンタッチで装着でき、かつレバー６３の付勢力（復帰力）によって縦壁部５７との間でしっかりと挟持することができるため、装着作業が迅速化される。。
（３）球切れセンサユニット５５は三つの係合溝３９に対してキャッチ片５９の係合爪６０を係合させることで三段階に高さ調整ができるため、球詰まりのし易さに応じて球切れセンサユニット５５の上下位置を変更して貯留されるパチンコ球の量を調整することができる。
（４）係合溝３９は水平方向に連続的に形成されているため、上流から下流にかけて無段階に球切れセンサユニット５５を配置できることとなって、より微妙な調整が可能となっている。
（５）係合溝３９はパチンコ遊技機の裏面側に露出されたタンク２３の全方向である三方向すべてに形成されており、球切れセンサユニット５５はいずれの壁部３５（長壁及び短壁３５ａ，３５ｃ，３５ｄ）にも自在に配置できる。
（６）リミットスイッチ６７用の出力配線７０は接続される外部出力基板２８から最も遠い装着可能位置を念頭においてその長さが設定されている。そのため、外部出力基板２８に近づくほど出力配線７０に弛みが生することとなって、弛んだ線が邪魔になったりその処理に手間取られたりする可能性がある。しかし、本実施の形態ではフック４１を設けているため、これを利用して弛みを解消することが可能となっている。
（７）底部３３の底片３３ａは角度変更が可能であるため、球圧を調整するために単独で又は球切れセンサユニット５５の配置位置との関係で調整することができ、より微妙な調整が可能となっている。
（８）底部３３の底片３３ａは角度変更が可能であるため、底片３３ａの角度の変更によって球切れセンサユニット５５のレバー６３と底片３３ａとの間にパチンコ球が挟まってしまうようなケースがありうる。ところが、このように容易に球切れセンサユニット５５を移動させることができるため、そのような不具合にも迅速に対処することが可能である。
【００１７】
尚、この発明は、次のように変更して具体化することも可能である。
・上記実施の形態のタンク２３に球切れセンサユニット５５を装着した場合には図４に示すようにユニット５５のレバー６３がタンク２３内部に突出することとなっていたが、図１１のようにタンク２３の長壁及び短壁３５ａ，３５ｃ，３５ｄに外方に屈曲形成された複数の屈曲部７１を形成し、実施の形態の球切れセンサユニット５５をいずれかの屈曲部７１位置に装着させて配置することで長壁及び短壁３５ａ，３５ｃ，３５ｄの内周面とレバー６３表面とを略面一にするようにしてもよい。
このように構成すればパチンコ球の総量を調整するころができるとともに球切れセンサユニット５５をレバー６３と長壁又は短壁３５ａ，３５ｃ，３５ｄとの間で形成される段差にパチンコ球が挟まれてしまって、レバー６３が作動しなくなるというような不具合を解消することが可能となる。
・図１２に示すように、所定の位置に仕切板７３を配置してパチンコ球の総量を調整することが可能なタンク２３がある。このタンク２３は上流から下流にかけて所定間隔で配置された複数のスリット７２のうち、所望のスリット７２に対して仕切板７３を挿入することでタンク２３のパチンコ球の貯留総量を調整できるようになっている。従来のようにタンクを構成する壁面に検出装置を取り付ける場合では検出装置に位置が仕切板７３より上流であればパチンコ球は検出装置に至ることはないためパチンコ球を検出することはできなかった。
しかし、図１２に示すように仕切部材としてのこの仕切板７３に球切れセンサユニット５５（検出装置）を装着させることでそのような不具合は生じないこととなる。また、仕切板７３には上記実施の形態の長壁及び短壁３５ａ，３５ｃ，３５ｄに形成された係合溝３９と同様の位置調節手段としての溝を設けるようにしてもよい。
・図１３及び図１４に示すように、タンク２３の長壁及び短壁３５ａ，３５ｃ，３５ｄに複数の切り欠き部７４を形成し、この切り欠き部７４に着脱可能に第１の封塞プレートとしての壁部材７５を装着しタンク２３の一部として使用するとともに、図１５（ａ）及び（ｂ）に示す第２の封塞プレートとしての球切れセンサユニット７７をいずれかの壁部材７５の代わりに装着するようにしてもよい。壁部材７５は切り欠き部７４位置において上方からレール部７８をスライドさせながら装着させており、同様のレール部７８が形成された球切れセンサユニット７７も所望の壁部材７５と交換することが可能である。これによって、タンク２３内のパチンコ球の総量を調整するために球切れセンサユニット７７を上流や下流の所望の位置に配設することが容易にできる。尚、球切れセンサユニット７７において上記球切れセンサユニット５５と同じ構成については同じ番号を付して説明を省略する。
【００１８】
・上記実施の形態ではリミットスイッチ６７からの出力信号は外部出力基板２８だけではなくメイン基板１２に入力されるようになっていたが、外部出力基板２８だけに出力されるようになっていてもよい。
・上記実施の形態ではリミットスイッチ６７からの出力信号は外部出力基板２８だけではなくメイン基板１２に入力されるようになっていたが、メイン基板１２の制御は必ずしも必要ではない。例えば上記のようなパチンコ球供給装置付近の球詰まりに際して直接ランプを点灯させるスイッチング手段としてもよい。
・上記実施の形態では報知手段としてランプを点滅させるようにしていたが、その他の手段、例えば音声による報知であってもよい。
・上記各実施の形態では検出部としてはリミットスイッチを使用したが、その他の手段、例えば光センサや近接スイッチのような直接接触しない間接的にパチンコ球の有無を検出する検出部であっても構わない。つまり、タンク２３の外部からパチンコ球の有無を検出するような構成であってもよい。
・上記実施の形態では球切れセンサユニット５５をタンク２３の長壁及び短壁３５ａ，３５ｃ，３５ｄや仕切板７３の上部に取り付けるような構成であったが、タンク２３の壁面（長壁及び短壁３５ａ，３５ｃ，３５ｄ）に孔やスリットを形成しそれらを利用して検出装置（球切れセンサユニット）を装着するようにしてもよい。
・上記実施の形態ではキャッチ片５９の弾性力で縦壁部５７との間で被挟持部としての壁面（長壁及び短壁３５ａ，３５ｃ，３５ｄ）を押さえ込むようにしていたが、クランプ等の他の挟持手段であってもよい。
・上記実施の形態ではタンク２３側の係合溝３９にキャッチ片５９の係合爪６０が係合するような構成であったが、この凹凸関係が逆であってタンク２３側に係合用の突条が形成され、キャッチ片５９側に突条にはまる凹部を形成するようにしてもよい。
・上記各実施の形態では球切れセンサユニット５５，７７はタンク２３に取り付けるようにしていたが、払い出しユニット２７に至る間の球詰まりを有効に検出できればタンク以外の場所であっても構わない。
・上記実施の形態ではパチンコホールの島毎のパチンコ球供給装置からパチンコ球が供給されるようなパチンコ遊技機について応用したが、外部からパチンコ球が供給されずにパチンコ遊技機内部をパチンコ球が循環する封入式のパチンコ遊技機に応用することも可能である。
・本発明はいわゆるパチロットと呼称されるパチンコ球を使ってのスロットマシンに応用するようにしてもよい。
・球切れセンサユニット５５，７７の形状は一例であって上記実施の形態に限定されるものではない。
・タンク２３やタンクレール２５の形状は一例であって上記実施の形態に限定されるものではない。
・底部３３の底片３３ａの角度調整は上記のような二段階でなくとも三段階以上あるいは無段階に調整できるように構成してもよい。
その他、本発明の趣旨を逸脱しない態様で実施することは自由である。
【００１９】
本発明の目的を達成するために上記実施の形態から把握できるその他の技術的思想について下記に付記として説明する。
（１）　外部から或いは内部を循環して供給されるパチンコ球を貯留するとともに下流位置に形成されたパチンコ球流出口から同パチンコ球を下方に排出するタンクと、同タンクのパチンコ球流出口に面して配設され落下したパチンコ球を払い出し機構に導くタンクレールと、内部機構と電気的に接続され同タンク内の払い出し準備用のパチンコ球の有無を検出する検出装置とを備え、同払い出し機構を経由して払い出しされるパチンコ球に基づいて遊技者が所定の遊技を享受できるようにした遊技機において、
前記払い出し準備用のパチンコ球の有無が検出可能な領域にて前記検出装置の取り付け位置を移動可能としたことを特徴とする遊技機。
この付記１の発明のような構成では、遊技機の制御装置に接続された検出装置がタンク内の払い出し準備用のパチンコ球の有無を検出することとなる。そして、パチンコ球の総量を調整する場合には検出装置をこの払い出し準備用のパチンコ球の検出できる領域内にて上下流や上下位置等に移動させて配置することが可能となる。従って、タンクから払い出し機構に至る間の球詰まりに有効に対応することができる。
（２）前記検出装置は挟持手段を有し、同挟持手段によって被挟持部を挟持して同検出装置を固定することを特徴とする請求項１又は付記１に記載の遊技機。
ここに挟持手段とは被挟持部に対して例えば弾性力（弾性復帰力）等で押さえ込んで挟む手段であって、上記実施の形態では縦壁部５７とキャッチ片５９のキャッチ片５９がこれに相当する。被挟持部とは上記実施の形態ではタンクの側面壁や仕切部材としての仕切板７３である。
（３）前記被挟持部には前記検出手段の位置決めをする位置決め手段が形成され同検出手段側部材と同位置決め手段とが係合することで位置決めされるようになっていることを特徴とする請求項１若しくは付記１又は２にのいずれかに記載の遊技機。
このような構成とすればより迅速に所望の位置に検出手段を配置することができる。
（４）前記位置決め手段は前記検出手段と凹凸関係で係合するように構成されていることを特徴とする付記３に記載の遊技機。
このような構成とすればより迅速に所望の位置に検出手段を配置することができる。
（５）前記位置決め手段は水平方向に延出される溝或いは突条であることを特徴とする付記４に記載の遊技機。
このような構成とすれば検出手段を溝又は突条に沿った所望の位置に配置させることができ、より微妙な設定が可能となる。
（６）前記位置決め手段は上下方向に複数形成されることを特徴とする付記５に記載の遊技機。
このような構成とすれば検出手段を上下方向に異なる位置に配置することができるので、より微妙な設定が可能となる。
【００２０】
（７）前記タンク（貯留部）の側面には外方に膨出した膨出部が形成され、前記検出装置を同膨出部位置に装着することで同検出装置の同タンク内への突出量を軽減するようにしたことを特徴とする請求項１若しくは付記１〜６のいずれかに記載の遊技機。
これによって検出装置とタンク（貯留部）壁面との間にパチンコ球が詰まって検出装置の作動に不具合が生じることがなくなる。
（８）前記タンク（貯留部）内には貯留されるパチンコ球の総量を調整するための仕切板を同タンク（貯留部）の上流から下流にかけた所定位置に配置可能とされており、前記検出手段を同仕切板に装着させるように構成したことを特徴とする請求項１若しくは付記１〜６のいずれかに記載の遊技機。
これによって仕切板を有するタンク（貯留部）であっても検出手段を使用することが可能となる。
（９）前記タンク（貯留部）の壁面には所定位置に切り欠き部を形成するとともに、同切り欠き部を封塞する第１の封塞プレートを着脱可能に装着し、任意の第１の封塞プレートと前記検出手段が予め固着された第２の封塞プレートを交換することで同検出手段を移動させるようにしたことを特徴とする請求項１若しくは付記１〜６のいずれかに記載の遊技機。
これによって第１の封塞プレートと第２の封塞プレートを交換するだけで所望の位置に容易に検出手段を配設することができる。
（１０）前記検出手段から延出される配線が接続される接続基板と同検出手段との距離が接近している場合に余剰分の配線を掛け回して調整できる配線迂回手段を設けるようにしたことを特徴とする請求項１若しくは付記１〜９のいずれかに記載の遊技機。
これによって余剰分の配線が邪魔になることがない。
（１１）前記タンク（貯留部）の底面は傾斜角度を変更できるように構成されていることを特徴とする請求項１若しくは付記１〜１０のいずれかに記載の遊技機。
これによってスムーズにパチンコ球を流下させるために傾斜を急にしたり、逆に下流側の球圧を軽減するために傾斜を緩くしたりといった調整が可能となる。
【００２１】
【図面の簡単な説明】
【図１】本発明の実施の形態のパチンコ遊技機の背面図。
【図２】同じパチンコ遊技機の分解側面図。
【図３】同じパチンコ遊技機の機構盤とタンク及びタンクレールの分解斜視図。
【図４】同じパチンコ遊技機の機構盤の平面図。
【図５】同じパチンコ遊技機のタンクの断面図。
【図６】同じパチンコ遊技機のタンクの側面図。
【図７】球切れセンサユニットの斜視図。
【図８】球切れセンサユニットの斜視図。
【図９】球切れセンサユニットの側面図。
【図１０】球切れセンサユニットのタンクへの装着状態を説明する部分拡大断面図。
【図１１】他の実施の形態のタンクの平面図。
【図１２】他の実施の形態のタンクの斜視図。
【図１３】他の実施の形態のタンクの平面図。
【図１４】他の実施の形態のタンクへの球切れセンサユニットの装着方法を説明する説明図。
【図１５】（ａ）及び（ｂ）は他の実施の形態の球切れセンサユニットの斜視図。
説明する説明図。
【符号の説明】１２…制御装置としてのメイン基板、２３…タンク、２５…タンクレール、２７…払い出し機構としての払い出しユニット、５５，７７…検出装置としての球切れセンサユニット。
【図１】
2004016253.tif 000003
【図２】
2004016253.tif 000004
【図３】
2004016253.tif 000005
【図４】
2004016253.tif 000006
【図５】
2004016253.tif 000007
【図６】
2004016253.tif 000008
【図７】
2004016253.tif 000009
【図８】
2004016253.tif 000010
【図９】
2004016253.tif 000011
【図１０】
2004016253.tif 000012
【図１１】
2004016253.tif 000013
【図１２】
2004016253.tif 000014
【図１３】
2004016253.tif 000015
【図１４】
2004016253.tif 000016
【図１５】
2004016253.tif 000017